(57)【要約】      （修正有）【課題】主として蒸発熱を利用して大きな冷却効果と高い冷却効率を得て、設置された周辺部を所期の温度に下げることができる、低コスト性、取扱性、汎用性、冷涼効果性、冷却効果性、冷却効率性、居住環境性、省資源性、環境改善性に優れる日除け体を提供する。【解決手段】本体部構成部材が、断面が楕円、弓形、多角形等の長尺体で、鉛直に配列された状態において、前記断面における楕円の長軸又は弓形の弦もしくは多角形の辺、あるいはその他の形状の任意の部位が水平に配置された時の水平方向の寸法が、前記断面の鉛直方向の寸法の１．５倍以上であって、且つ、正面から見た相互の間隙の２倍以上に形成されて多段に配設されてなる本体部を備えている。さらに、給水部２５が上部支持部に吊設され送水管２６で送られた水が集水樋２８に集められる。【選択図】図７
0003176700.tif 000002
【実用新案登録請求の範囲】
【請求項１】
本体部構成部材が多段に配設された本体部を有する日除け体であって、前記本体部構成部材が、楕円、弓形、多角形、凸レンズ形、凹レンズ形の内のいずれかの横断面を有する長尺体で形成され、前記本体部が側面から見て鉛直に設置された時に、前記本体部構成部材の横断面における楕円形の長軸、弓形の弦、多角形の最長の辺、凸レンズ形の光軸に垂直な直線、凹レンズ形の光軸に垂直な直線が各々水平に配置され、前記横断面の水平方向の寸法が、前記横断面の鉛直方向の寸法の１．５倍以上で、且つ隣接する前記本体部構成部材相互の鉛直方向の間隙の２倍以上に形成されていることを特徴とする日除け体。
【請求項２】
本体部構成部材の長手方向の複数の箇所において、本体部を編成するための編糸が係回される編成部位の横断面が円形に形成されていることを特徴とする請求項１に記載の日除け体。
【請求項３】
長手方向に間隔の異なる位置に複数の挿通孔が設けられた２種類の本体部構成部材が、鉛直方向に一段置きに前記挿通孔が同じ位置に配置されるように交互に配設され、本体部を編成するための吊紐が前記挿通孔に順に挿通されて正面から見てジグザグに配設されることによって、前記本体部構成部材が係止されていることを特徴とする請求項１又は２に記載の日除け体。
【請求項４】
本体部構成部材に設けられた複数の挿通孔に各々吊紐が挿通され、前記本体部構成部材の間に前記吊紐に挿嵌されて配設された中空円柱体の挟設部材が配設されて本体部が形成されていることを特徴とする請求項１乃至３の内いずれか１項に記載の日除け体。
【請求項５】
本体部構成部材に設けられた複数の挿通孔に各々吊紐が挿通され、前記本体部構成部材の上方及び／又は下方に、係止用部材が前記吊紐に付設されて前記本体部構成部材が係止されていることを特徴とする請求項１乃至４の内いずれか１項に記載の日除け体。
【請求項６】
本体部構成部材が支持部材によって支持枠体に支持され、前記本体部構成部材で構成された本体部が前記支持枠体に内設されていることを特徴とする請求項１乃至５の内いずれか１項に記載の日除け体。
【請求項７】
本体部に給水するための給水部を備え、前記本体部の上部に給水することによって、前記本体部の下方に水を順次供給することを特徴とする請求項１乃至６の内いずれか１項に記載の日除け体。
【請求項８】
給水部が本体部の上方に並設され、（ａ）前記給水部の長手方向に大きさの異なる複数の給水孔を備えているか、（ｂ）前記給水部を支持する部位の高さを変えることができる支持部材を備えていることを特徴とする請求項１乃至７の内いずれか１項に記載の日除け体。
【請求項９】
本体部構成部材の上部に凹状部が形成されていることを特徴とする請求項１乃至８の内いずれか１項に記載の日除け体。
【請求項１０】
（ａ）給水部と前記給水部に水を供給する水源との間に送水時間と送水停止時間を制御するための間欠装置を備えているか、（ｂ）前記給水部から本体部構成部材に渡設されて水を供給する誘導部材を備えていることを特徴とする請求項１乃至９の内いずれか１項に記載の日除け体。  
【請求項１１】
本体部に風を送るための送風装置を備えていることを特徴とする請求項１乃至１０の内いずれか１項に記載の日除け体。  
【考案の詳細な説明】
【技術分野】
【０００１】
本考案は、戸、窓、外壁、屋根、バルコニー、庭等に設置される日除け体において、風通しを確保した上で、日射遮蔽作用が大きくなるように形成して終日涼しい状態を保ち、所要によって、給水部を設けて本体部に水を供給し、主として蒸発時の気化熱の利用による冷却効果を得て目的の場所の温度を下げる日除け体に関する。
【背景技術】
【０００２】
地球温暖化が指摘されている中で、東京電力福島第一原子力発電所の事故で原子力発電の危険性が認識され、節電の効果的手段として簾等の日除け体が見直されている。
簾は、直射日光を遮蔽することができるが、仰角の小さい直射日光が当たると葦や竹ヒゴの間隙から日射しが入って室温等が高くなることがある。
市販の簾の内、屋外で多く使用される平均分径２．５ｍｍの比較的細い葦によって相互の間隙約２ｍｍで編成されている天津簾は、通風は確保されるが、１４時頃から仰角５５度以下の日射しが間隙から洩れ、１５時頃には仰角４５度の直射日光の約２０％が入り、１６時頃の仰角３０度の直射日光は約３５％入射するために次第に室温が上がる。
又、平均分径６ｍｍ前後の比較的太い葦がよって相互の間隙２ｍｍで編成されている浦芯簾等は、仰角４０度以上の直射日光が遮蔽できるが、水平方向の遮蔽率が約７５％と大きいために通風と採光が不十分で、居住環境性に課題を有していた。
このように、葦や竹ヒゴのように横断面が円形の構成部材で編成された簾は、直射日光の遮蔽と通風とが両立せず、いずれかが不十分になるという課題を有している。
一方、スラットの角度が変えられるブラインドは、一般に建物内に設置されるもので、屋内に設置された場合は建物外から入る直射日光を遮蔽する作用が小さく、日射遮蔽作用を得る目的でスラットを下向けに傾けると風通しが悪くなる課題を残している。
そこで、広く普及されている、厚さ約０．２ｍｍ、幅２５ｍｍのアルミニウム製スラットで相互の間隔約２０ｍｍで編成されている屋内用ブラインドと、厚さ約０．３ｍｍ、幅３５ｍｍのアルミニウム製スラットで相互の間隔約３０ｍｍで編成されている屋内用ブラインドの２種を用いてサッシの開口部に設置して観察を行った処、スラットの配置角度が下向き３０度前後を境に、いずれかの作用が不十分なものになることが判った。
さらに、通常使用時に操作を行わないことを想定し、前記２種のブラインドのスラットを固定して鉛直に設置した場合の日射遮蔽作用と通風について検証した処、スラットの角度を水平とした場合は、１５時３０分頃から仰角３８度以下の直射日光が入り、１６時頃の仰角３０度の西日は約３０％が入射するために温度が次第に上昇し、明らかに日除け作用が不十分であった。次いで、スラット角度を３０度下向けにした場合は、仰角２０度以上の直射日光が遮蔽されるが、水平方向の遮蔽率は約６０％で通風が制約され、しかも、直進してきた風はスラット斜面に当たって上向きに変わるために室内に居る人にとっては風による体感温度低下、即ち涼しさが感じられない課題を残している。
このように、従来のブラインドは作用における二律背反の課題があり、又、屋内用ブラインドは屋外で用いるには取扱性と耐久性に難点があり、屋外用として販売されている電動式ブラインドは、屋内用ブラインドと同様に作用における二律背反の課題を残し、設置には工事を伴うことや高価な点も障壁となって、広く普及されていない実態があった。  
このような状況において、通風が確保された状態で十分な日射遮蔽作用が得られ、目的の場所を終日涼しい状態に保つことができる屋外用の日除け体が望まれていた。
【０００３】
このような課題を解決するために、（特許文献１）には「開口部の外側や庇の先端に設
置する固定式直達日射遮蔽ルーバー」が開示されている。
（特許文献２）には「遮光又は目隠しと風通しの機能を両立させ、採光調節も可能な山形ブレードによる構造が簡単なすだれ」が開示されている。
（特許文献３）には「横吊り葭すだれの上部に噴水管が設置され、噴水管を覆って飛散防止カバーが固定され、下部に集水溝と水槽を設けて、すだれから落下した水を集めて水槽から前記噴水管に水を送って水を循環使用する清涼すだれ」が開示されている。
（特許文献４）には「建物の開口部又は外壁箇所に日除け部材を設置し、日除け部材の上部に給水部を配置して水を日除け部材に沿って流下させる構成とすると共に、日除け部材の下部に流下した水を受ける受水部を配置した暑熱循環緩和装置」が開示されている。
（特許文献５）には「窓外から差し込む直射日光を遮断する機能に加え、ブラインドユニットの各ブレードの表面に保湿機能をもたせ、循環給水機構による常時給水で、通風時の気化熱による冷却風を室内に取り込む涼風ブラインド」が開示されている。
【先行技術文献】
【特許文献】
【０００４】
【特許文献１】特開平０８−３１２２６３
【特許文献２】特開平０９−１１２１５９
【特許文献３】特開２００９−２２８９３５
【特許文献４】特開２００９−２４９９３８
【特許文献５】特開２００８−４５３８７
【考案の概要】
【考案が解決しようとする課題】
【０００５】
しかしながら、上記従来の技術は、以下のような課題を有していた。
（１）（特許文献１）には、国内の基準になるものとして、東京における夏期間の日射侵入角度を６０度とみて、角度が水平に近い日射遮蔽羽根の巾を４０ｍｍ、間隔８０ｍｍとする固定式直達日射遮蔽ルーバーによって、夏期間の４月２０日から８月２０日までの毎日１０時から１４時までの日射遮蔽を行うことができると説明されている。
しかし、日本で最も暑いのは８月を中心とした約２ケ月間であり、その間の最高気温の時間帯は太陽の仰角が５５度前後の１４時頃から仰角４０度前後の１５時３０分頃迄で、西日として射し込む仰角３０度前後の直射日光の影響も大きい実態があるが、当該の固定式直達日射遮蔽ルーバーでは肝心の仰角６０度以下の直射日光が遮蔽できなかった。
（２）（特許文献２）には、相互の間隔が調節できる山形ブレードで構成されたブライン
ド式すだれを用いて、様々な操作によって所要の作用が得られると説明されている。
しかし、当該のブラインド式すだれは、構造及び操作が複雑なために建物外に設置する日除け体としては不向きで、日射の遮蔽と通風に対する二律背反的な仕組は従来技術から脱却したものではなく、例えば「閉」の状態にすると直射日光は遮蔽されるが風通しと採光に支障が生じる等、居住環境に及ぼす課題が解決されていなかった。
（３）（特許文献３）には、噴水管から出た水を飛散防止カバーに貯留し、水量調節ボル
トで流量を調節して簾に当て、流下した水を集めて循環使用すると説明されている。
しかし当該文献には、簾の構造や水量調節ボルトの仕組と流量についての説明がなく、直射日光が当たる場所に対して日影でマイナス４度、簾面より２ｍの所でマイナス１０度と示されているが、簾に給水した時の効果としては過大な感があり疑問が感じられた。
（４）（特許文献４）の内、ブラインド類似の日除け部材において、昇降コードに対応する吊持用紐を介して、スラットに対応する日除け板に給水されるように示された形態が本考案技術に相応するので、ここに引用して検証する。
当該日除け部材は、日射遮蔽作用に触れていないので従来技術を改善したものではないと見做され、冷却について吊持用紐を介して水を供給する点が図示されているが、冷却の仕組とそれに伴う効果の説明がなく、水供給の仕組に疑問が感じられるものであった。
（５）（特許文献５）には、窓等に設置されたケース内のブラインドユニットによって直
射日光を遮断し、循環させた水を給水パイプからブレード毎に配設された保水エレメントを介して保湿材が設けられたブレードに各々水を供給すると説明されている。
しかし、当該文献にはブレードの形状や寸法、角度、配設間隔の説明がなく、示されているブレード毎への常時給水では使用量が多く、水はブレード下面や下方に供給されないので無駄も多く、水の循環用の電気代等の運用コストが嵩む等、実用性に欠ける。
【０００６】
前記特許文献１乃至５の課題を検証する目的で各特許文献に準じて日除け体を試作し、２０１１年８月に、陽が当たるバルコニーに面した南西向きの部屋の間口１７００ｍｍ、高さ１８００ｍｍのガラス戸の片側を開けて開口部に設置して観察を進めた。
（特許文献１）に関して、幅４０ｍｍの日射遮蔽羽根を水平に固定し、間隔を８０ｍｍとした処、１４時頃から直射日光が入射し、時間とともに入射比率が高まって室温が上がり、夏の日除け体としての日射遮蔽作用が不足していることが判明した。
（特許文献２）に関して、説明に従ってブラインド式簾の試作を進め、山形ブレードの係止穴に吊紐を挿通して、その都度係止用の結節を作る作業を行ったが、非常な手間を要し、製作コストが嵩む上に使用時の操作も煩雑で、屋外に設置するものとしては構造的に複雑で壊れやすいことが判明したために、試作を中断して実験を保留した。
この経験から、屋外用日除け体は、通常使用では操作を必要とせず、日除け体の構成部材であるスラット等の配置角度や相互の間隔が固定された状態で直射日光の遮蔽、通風、採光が同時に得られる構成、及び、高い耐久性が不可欠であることが分かった。
以上の後に、（特許文献３）に準じて既存の葦製簾を用いた場合と、（特許文献４）に
準じて既存のブラインドを用いた場合において、以下の観察と実験を行った。
（特許文献３）に関して、「横吊り葭すだれ」の説明がないので、前記背景技術における２種の葦製簾の記述内容に相当するものと推測され、既に記述したように横断面が円形の構成部材で編成された簾は、直射日光の遮蔽と通風とが両立せず、いずれかが不十分になるという課題を有していると言える。
（特許文献４）の日除け板、（特許文献５）のブレードと言われる構成部材において、
厚さ、幅、間隔等が示されていないので、前記背景技術における２種の屋内用ブラインドの記述内容に相当するものと推測され、（特許文献４）にはスラットを斜めにした「開」状態と閉じた「閉」状態が図示されており、直射日光の遮蔽と通風が両立しない二律背反の課題を有していることは明らかである。
【０００７】
次に、水を供給して周辺を冷やす技術に関して（特許文献３）に準じて葦製簾に給水し
た実験と、（特許文献４）に準じて吊持用紐に給水した実験を行い、（特許文献５）に準
じて、スラット上面に保水部材を配設して給水した場合について観察を行った。
実験はサッシのガラス戸の片側を開け、開口部内の室温に影響を及ぼすバルコニーに対して、上方を別体の簾で覆った条件と、簾等で覆わない場合とに分けて行い、前記背景技術の葦製簾２種とブラインドの内の１種を、開口部に各々設置し、所要箇所に給水孔が設けられた管状の合成樹脂製の給水部を配設して水道ホースで水道に接続して給水した。
（特許文献３）に関する実験は、当該文献では給水量や流量配分等が分からないために噴水管と飛散防止カバーの代わりに下側に多数の給水孔を設けた給水部を用いたが、当該文献に従って給水間隔を大きくすると水が行きわたらないので間隔を小さくした。
又、給水の手前と先側で流量が異なるので、位置によって給水孔の大きさを変えるか、給水部の勾配を調節するか、あるいは両者の併用で流量が均等になることが分かった。
実験では１．５ｍｍ径の給水孔を２０ｍｍ間隔で設け、給水部の勾配で調節して流量を均等にして簾上端の桟に水を掛けたが、用いられた前記２種の葦製簾は、葦の分径が不揃いで節で曲がっているものが多く、水の配分が不均等になり、流下が速く上から下端まで１０乃至２０秒で流れ落ちてしまうので蒸発量が少なく、冷却効果が不十分であった。
又、水の蒸発量は関わる面積に相関し、簾の表裏合計面積に対する葦の表面積の合計である総表面積は、平均分径２．５ｍｍの天津簾は約０．９倍、平均分径６ｍｍの浦芯簾は約１．２倍で、比較的小さいために蒸発量が少なく、浦芯簾は通風が不十分で風による蒸発促進作用が小さい難点があって、葦製簾はどちらも冷却効果が十分得られなかった。
以上のような簾の構造に起因する課題に加えて、（特許文献３）に示された給水方法を
採用すると、水の配分にむらが生じるためにさらに効果が低くなると推察される。
その対策としては、簾の要所に水の配分調整用の樋状部材を配設して水を貯留させ、溢れた水を下方に滴下させることによって均等に供給することや、給水部や水が貯留できる構成部材から水が及ばない箇所に毛細管現象を応用した紐体の誘導部材を渡設することによって、補給して隅々まで行きわたらせることができる。
（特許文献４）に関する実験は、示された形態の内日除け板が斜め下向きの例に倣い、昇降コードに対応する吊持用紐を介して上方の日除け板から順に下方に供給されるとの説明に従って、前記２種のブラインドの一つで行った。当初、水が既設の昇降コードを伝わったまま落下するので昇降コードを太くした処、スラット上面に達するようになったが、その場合でも斜めのスラット上面を１筋ずつ流れ落ちるだけで、スラット上面に突起や保水部材が付加された時には少し横に広がるが、上から下まで約１８００ｍｍの間を数秒乃至１０秒程度で流れ落ちてしまうために冷却効果が殆んど得られなかった。
このように、（特許文献４）における給水の仕組である吊持用紐を介して水を供給する
方法には課題が残されているが、もう一つ大きな問題がある。
示された形態の内「閉」状態が給水に伴う効果が得られないことは十分予測されたが、「開」状態の場合は、日除け板が斜めに配置されているために、水が及ぶ範囲が吊持用紐より下側に限られ、蒸発に関わる面積は日除け板両面のごく一部に限定されるので冷却効果が上がらず、水の無駄が多く、冷却効率が低いという致命的な点である。
尚、吊持用紐を伝った水が日除け板の下面に及ぶか否かについて触れられていないが、仮に下面に達しても細い筋になって流れ落ちるだけで、水の蒸発には寄与できない。
従って、（特許文献４）の当該形態において、水の蒸発に関わる面積は、日除け板両面の合計面積の最大でも２５％に過ぎず、蒸発に必要な条件が不足しているために蒸発量が少なく、吊持用紐を介する給水方法にも問題があって冷却効果が得られなかった。
（特許文献３）、（特許文献４）に基づく実験結果は次の通りであった。
直射日光下のバルコニー上の温度が摂氏３８度で、バルコニー上方を簾等で覆わない条件での室温が３５度の時に、（特許文献３）に準じた前記葦製簾２種と、（特許文献４）
に準じてスラットを斜め下方に向けたブラインド１種を、各々サッシの開口部Ｃに設置した処、いずれも直射日光の遮蔽作用によって室温が１度下がって３４度になった。
その状態で、前記特許文献の給水方法に改良を加えて水を供給した処、葦製簾の方はいずれも１度下がって３３度になったが、ブラインドの方は効果が認められなかった。
次に、同様に直射日光下のバルコニー上の温度が摂氏３８度の時に、バルコニー上方を別体の簾で覆った時には室温が３４度になり、（特許文献３）、（特許文献４）に準じて
葦製簾２種、ブラインド１種を各々開口部Ｃに設置した時にいずれも３３度になり、給水した時に葦製簾の方は３２度に下がったが、ブラインドの方は効果が得られなかった。
これらの結果、いずれも日射遮蔽作用及び冷却効果ともに不十分で、葦製簾とブラインド類似の日除け部材の構造及び水の供給方法に課題があることが浮き彫りになった。
（特許文献５）に関して、緩やかな孤を描く上面に保水部材が配設されたスラットを側面から見て水平に配置して給水した処、水はなだらかな斜面を下って、そのまま端から落下するために下のスラットには供給されず、蒸発に関わる面積はスラットの表裏合計面積の最大でも５０％しか利用されず、蒸発量が少なく、水のロスが大きかった。
このように、斜面を下った水がスラットの端から落下する現象は、アルミニウム製スラットの厚さが概ね０．３ｍｍ以下と非常に薄いために、下面に回る際に側部に留まれないためで、少なくとも厚さを０．５ｍｍ以上、望ましくは１．０ｍｍ以上に形成して、間隙を概ね１０ｍｍ以下にすることによって、水を上面から側面を経て下面に回らせ、順次下のスラットに滴下させ、途中で落下させずに下端まで到達させることができる。
ここで、通常とは逆にして、スラットの浅い凹状部を上に向け、両端部を閉塞して正面及び側面から見てスラットを水平に配置することによって水が貯留され、表面張力で盛り上がって溢れた水が下面に回り、下面中央の低い部位までゆっくり移動して順次下のスラットに滴下し、それが繰り返されて途中で落下せずにブラインド下端まで到達するので、その間に水が蒸発して気化熱による冷却効果が得られる。
水を供給する時はこのように水が留まることができる面を上に向けるのが必須である。 
【課題を解決するための手段】
【０００８】
本考案は上記課題を解決するために、容易に製作でき、安価で、通常は格別な操作をせずに色々な場所で用いられ、通風が確保された状態で、様々な条件の直射日光を遮蔽することができ、設置場所周辺を涼しい状態に保つことができる本体部を備え、低コスト性、製作容易性、取扱性、汎用性、冷涼効果性、居住環境性に優れた日除け体を提供し、
所要によって、前記作用を維持した上で、シンプルな構造で容易に取扱いでき、均等に水が供給できる給水部を備えて本体部に給水し、主として蒸発熱を利用して所要の場所を所期の温度に下げる作用を付加し、さらに、水を循環利用して水や運用コストを節約し、本考案製品の普及で節電に寄与し、冷却効果性、冷却効率性、省資源性、環境改善性に優れた日除け体を提供することを目的とする。
【０００９】
上記従来の課題を解決するために、本考案の日除け体は以下の構成を有している。
本考案の請求項１に記載の日除け体は、本体部構成部材が多段に配設された本体部を有する日除け体であって、前記本体部構成部材が、楕円、弓形、多角形、凸レンズ形、凹レンズ形の内のいずれかの横断面を有する長尺体で形成され、前記本体部が側面から見て鉛直に設置された時に、前記本体部構成部材の横断面における楕円形の長軸、弓形の弦、多角形の最長の辺、凸レンズ形の光軸に垂直な直線、凹レンズ形の光軸に垂直な直線が各々水平に配置され、前記横断面の水平方向の寸法が、前記横断面の鉛直方向の寸法の１．５倍以上で、且つ、隣接する前記本体部構成部材相互の鉛直方向の間隙の２倍以上に形成されている構成を有している。
この構成により以下のような作用を有する。
（１）少なくとも夏の９時頃から１５時頃までの仰角４５度以上の直射日光を遮蔽することができ、夕方の温度に影響する仰角３０度前後の直射日光の遮蔽率は約８０％に及び、本体部が設置された内側の温度上昇を防ぐことができ、さらに、形状や寸法の選択によって、通風を確保した上で、夏の６時頃から１７時３０分頃迄の終日にわたって仰角１５度以上の直射日光を遮蔽することによって影響を防ぐことができ、冷涼効果性に優れる。
（２）常時は本体部構成部材の配置角度が固定されて使用されるので本体部が容易且つ安価に製作でき、サッシ、外壁、屋根、バルコニー、空間等に容易に設置することができ、使用時に特に操作を要せず、製作容易性、低コスト性、汎用性、取扱性に優れる。
（３）本体部として間伐材や竹が利用でき、本考案製品の普及で冷房用電力が削減され、火力発電や原子力発電の抑制に寄与することができ、省資源性、環境改善性に優れる。
【００１０】
請求項２に記載の考案は、請求項１に記載の日除け体であって、本体部構成部材の長手方向の複数の箇所において、本体部を編成するための編糸が係回される編成部位の横断面が円形に形成されている構成を有している。
この構成により請求項１に記載の作用に加え、以下のような作用を有する。
（１）円形以外の横断面を有する本体部構成部材の編成部位に編糸を係回して行う編成作業が容易になり、又、本体部の設置角度に対する本体部構成部材の配置角度を任意に設定することができ、側面から見て本体部を所要角度に設置することができ、直射日光や風等に対する遮蔽作用を調節することもでき、製作容易性、汎用性、機能性に優れる。
【００１１】
請求項３に記載の考案は、請求項１又は２に記載の日除け体であって、長手方向に間隔の異なる位置に複数の挿通孔が設けられた２種類の本体部構成部材が、鉛直方向に一段置きに前記挿通孔が同じ位置に配置されるように交互に配設され、本体部を編成するための吊紐が前記挿通孔に順に挿通されて正面から見てジグザグに配設されることによって、前記本体部構成部材が係止されている構成を有している。
この構成により請求項１又は２に記載の作用に加え、以下のような作用を有する。
（１）本体部構成部材に設けられた挿通孔に吊紐を挿通するだけで、挿通孔に挿通された吊紐がジグザグに配設されて屈曲する位置に本体部構成部材が係止されて本体部が編成されるので容易に本体部が製作でき、これによって製作コストが軽減され、本体部構成部材を小さな間隙で容易に配設することができるために大きな直射日光の遮蔽作用が得られ、製作容易性、低コスト性、機能性に優れる。
【００１２】
請求項４に記載の考案は、請求項１乃至３に記載の日除け体であって、本体部構成部材に設けられた複数の挿通孔に各々吊紐が挿通され、前記吊紐に挿嵌されて配設された中空円柱体の挟設部材に前記本体部構成部材が支持されている構成を有している。
この構成により請求項１乃至３の内いずれか１項に記載の作用に加え、以下のような作用を有する。
（１）吊紐を本体部構成部材の挿通孔に挿通させて中空円柱体の挟設部材を挿嵌させるのを繰返すだけの容易な作業で本体部構成部材を所定位置に正確に係止することができ、製作容易性、精緻性に優れる。
【００１３】
請求項５に記載の考案は、請求項１乃至４の内いずれか１項に記載の日除け体であって、本体部構成部材に設けられた複数の挿通孔に各々吊紐が挿通され、前記本体部構成部材の上方及び／又は下方に、係止用部材が前記吊紐に付設されて前記本体部構成部材が係止されている構成を有している。
この構成により請求項１乃至４の内いずれか１項に記載の作用に加え、以下のような作用を有する。
（１）本体部構成部材を所定位置に容易に係止することができ、本体部の製作が容易になり、製作容易性に優れる。
（２）側面から見た本体部構成部材の水平方向に挿通孔を２ケずつ設けて各々吊紐を挿通させて係止用部材を２本の吊紐に架設した場合に、本体部の設置方向に対して、本体部構成部材を所要の向きに配置することができ、これによって、本体部構成部材の配置角度が水平に配置された状態で本体部を斜めに設置することができ、屋根等や空間に斜めに設置することもでき、用途が広がり、自在性、汎用性に優れる。
【００１４】
請求項６に記載の考案は、請求項１乃至５の内いずれか１項に記載の日除け体であって、本体部構成部材が支持部材によって支持枠体に支持され、前記本体部構成部材で構成された本体部が前記支持枠体に内設されている構成を有している。
この構成により請求項１乃至５の内いずれか１項に記載の作用に加え、以下のような作用を有する。
（１）本体部が支持枠体に内設されているために、窓枠、外壁、屋根、バルコニー等に容易に設置することができ、不要時の取外しも容易に行うことができ、さらに、支持枠体内に所要機能を有する機構や部材を配設することによって、支持枠体ごと設置、移動、取外しをすることができ、本体部や付加された機構や部材が保全され、取扱性、機能性、保全性に優れる。
【００１５】
請求項７に記載の考案は、請求項１乃至６の内いずれか１項に記載の日除け体であって、本体部に給水するための給水部を備え、前記本体部の上部に給水することによって、前記本体部の下方に水を順次供給する構成を有している。
この構成により請求項１乃至６の内いずれか１項に記載の作用に加え、以下のような作用を有する。
（１）本体部が、上部に給水して下方に水を順次供給するのに好適な構造をしているために、給水部を水道等の水源に接続するだけで容易に冷却効果を得ることができ、総表面積が大きいことと、本体部の構造によって水の移動に時間が掛かるので蒸発量が多く、大きな冷却効果が得られ、外壁や屋根等に設置された場合には多段に配設された本体部構成部材から水が随所で供給され、伝導熱も利用されて外壁や屋根を効率よく冷やすことができ、これによって様々な条件の場所に設置して利用することができ、冷却に要する水が節約でき、簡便性、冷却効果性、冷却効率性、汎用性、低コスト性、省資源性に優れる。
（２）本体部に水が滞留する様子や移動する様子は楽しげで快く、水音が涼しく爽快で、水滴が光の屈折によって赤や青に輝くと美しく、爽快性、冷涼性、美観性に優れる。
（３）冷却効果が大きいので、エアコン等の冷房用電力が節約でき、環境に影響を及ぼす火力発電や原子力発電の抑制に寄与することができ、省資源性、環境改善性に優れる。
【００１６】
請求項８に記載の考案は、請求項１乃至７の内いずれか１項に記載の日除け体であって、給水部が本体部の上方に並設され、（ａ）前記給水部の長手方向に大きさの異なる複数の給水孔を備えているか、（ｂ）前記給水部を支持する部位の高さを変えることができる支持部材を備えている構成を有している。
この構成により請求項１乃至７の内いずれか１項に記載の作用に加え、以下のような作用を有する。
（１）本体部に対して水を均等に供給することができる給水部を容易に製作することができ、又、給水部の勾配を調節することによっても水を均等に供給することができ、両者を併用することによって幅や丈寸法が大きな本体部に水を隈なく供給することもでき、これによって、大きな冷却効果が得られ、冷却効率が高まり、製作容易性、冷却効果性、冷却効率性に優れる。
【００１７】
請求項９に記載の考案は、請求項１乃至８の内いずれか１項に記載の日除け体であって、本体部構成部材の上部に凹状部が形成されている構成を有している。
この構成により請求項１乃至８の内いずれか１項に記載の作用に加え、以下のような作用を有する。
（１）本体部構成部材の凹状部に水が滞留するので途切れる時間が少なくなるので、水の蒸発による冷却効果が大きくなり、さらに、両端が閉塞された凹状部には水が貯留され、溢れた水が下方の本体部構成部材に供給されて流量が調整され、これによって水の移動に時間が掛かり、本体部の隅々まで行きわたるので蒸発量が多くなり、水が節約され、冷却効果性、冷却効率性、省資源性、低コスト性に優れる。
（２）凹状部を有する樋状の本体部構成部材を水路として用いて、正面から見て左右交互に少し傾けて多段に配設して本体部を構成して、その上部に水を供給することによって、ジグザグにゆっくり流下させることができ、その間に水が蒸発して冷却効率が高まり、水が節約され、冷却効率性、低コスト性、省資源性に優れる。
【００１８】
請求項１０に記載の考案は、請求項１乃至９の内いずれか１項に記載の日除け体であって、（ａ）給水部と前記給水部に水を供給する水源との間に送水時間と送水停止時間を制御するための間欠装置を備えているか、（ｂ）前記給水部から本体部構成部材に渡設されて水を供給する誘導部材を備えている構成を有している。
この構成により請求項１乃至９の内いずれか１項に記載の作用に加え、以下のような作用を有する。
（１）間欠装置を利用することによって、給水部に送る水量が調節できるので余分に流れる分の水が節約され、誘導部材を利用することによって、給水時に水が行きわたらない本体部構成部材に供給できるので大きな冷却効果が得られ、又、間欠装置による送水停止時には給水部に貯留された水が本体部構成部材に少しずつ供給され、これによって冷却効率が高まり、省資源性、低コスト性、冷却効果性、冷却効率性に優れる。
【００１９】
請求項１１に記載の考案は、請求項１乃至１０の内いずれか１項に記載の日除け体であって、本体部に風を送るための送風装置を備えている構成を有している。
この構成により請求項１乃至１０の内いずれか１項に記載の作用に加え、以下のような作用を有する。
（１）給水時に本体部に送風することによって蒸発が促進され、本体部で生じた冷気を開口部等の所要の場所に送ることによって効率よく冷やすことができ、風による体感温度低下と冷涼感が得られ、冷却効率性、冷涼効果性に優れる。
【考案の効果】
【００２０】
本考案の日除け体によれば、以下のような有利な効果が得られる。
請求項１に記載の考案によれば以下のような効果を有する。
（１）通風が確保されて十分な日射遮蔽作用が得られ、さらに、形状や寸法の選択によって、通風を確保した上で日射遮蔽作用を一層大きくして、終日にわたって直射日光の影響を抑えることができ、冷涼効果性に優れた日除け体を提供することができる。
（２）本体部が容易且つ低コストで製作でき、様々な地域や場所で使うことができ、通常の使用時に操作を要せず、設置や移動が容易で、不使用時に容易に取外すことができ、低コスト性、製作容易性、汎用性、取扱性に優れた日除け体を提供することができる。
（３）間伐材や竹を利用して製作でき、本考案製品の普及で火力や原子力発電の抑制に寄与することができ、省資源性、環境改善性に優れた日除け体を提供することができる。
【００２１】
請求項２に記載の考案によれば請求項１に記載の効果に加え、以下の効果を有する。
（１）円形以外の横断面を有する本体部構成部材を編糸で係回する編成作業が容易になり、本体部の設置角度に対する本体部構成部材の配置角度を任意に設定でき、側面から見て本体部を所要角度に設置することができ、直射日光、風等に対する遮蔽作用を調節することができ、製作容易性、汎用性、機能性に優れた日除け体を提供することができる。
【００２２】
請求項３に記載の考案によれば請求項１又は２に記載の効果に加え、以下の効果を有する。
（１）吊紐が斜めにジグザグに配設されて、本体部構成部材を抑える力が働いて容易に係止することができ、これによって、本体部構成部材に吊紐を挿通させて編成される本体部の製作コストが軽減され、相互の間隙を小さくして扁平な本体部構成部材を配設することが容易にでき、直射日光の遮蔽作用が大きくなるように形成でき、製作容易性、低コスト性、機能性に優れた日除け体を提供することができる。
【００２３】
請求項４に記載の考案によれば請求項１乃至３の内いずれか１項に記載の効果に加え、以下の効果を有する。
（１）吊紐を本体部構成部材の挿通孔に挿通させて所定の高さを有する中空円柱体の挟設部材を挿嵌させるのを繰返すだけの容易な作業で本体部構成部材を所定の間隙で正確に配設することができ、製作容易性、精緻性に優れた日除け体を提供することができる。
【００２４】
請求項５に記載の考案によれば請求項１乃至４の内いずれか１項に記載の効果に加え、以下の効果を有する。
（１）本体部構成部材に吊紐を挿通させて形成する本体部が正確且つ容易に製作することができ、精緻性、製作容易性に優れた日除け体を提供することができる。
（２）側面から見た本体部の設置方向に対して、本体部構成部材を所要の向きに配置することができ、本体部を斜めに設置することもでき、それらに応じた作用が得られ、用途が広がり、機能性、自在性、汎用性に優れた日除け体を提供することができる。
【００２５】
請求項６に記載の考案によれば請求項１乃至５の内いずれか１項の効果に加え、以下の効果を有する。
（１）本体部が支持枠体に内設されているので様々な場所に容易に設置でき、支持枠体内に所要機能を有する機構や部材を配設することによって支持枠体ごと設置や取外しができ各部材が保全され、取扱性、機能性、保全性に優れた日除け体を提供することができる。
【００２６】
請求項７に記載の考案によれば、請求項１乃至６の内いずれか１項の効果に加え、以下の効果を有する。
（１）本体部の構造が、水の蒸発を利用して冷却効果を得るのに好適で、給水部を水道等の水源に接続するだけで大きな冷却効果が得られ、様々な条件下で利用することができ、水が節約でき、簡便性、冷却効果性、冷却効率性、汎用性、低コスト性、省資源性に優れた日除け体を提供することができる。
（２）水が諸所に滞留し移動や滴下する様子は爽やかで、水音が涼しく、水滴が光の屈折で輝くと美しく、爽快性、冷涼性、美観性に優れた日除け体を提供することができる。
（３）冷却効果が大きいので、冷房用電力が節約でき、火力発電や原子力発電の抑制に寄与することができ、省資源性、環境改善性に優れた日除け体を提供することができる。
【００２７】
請求項８に記載の考案によれば、請求項１乃至７の内いずれか１項の効果に加え、以下の効果を有する。
（１）水が均等に供給できる給水部が容易に製作及び配設することができ、製作容易性、冷却効果性、冷却効率性に優れた日除け体を提供することができる。
【００２８】
請求項９に記載の考案によれば、請求項１乃至８の内いずれか１項の効果に加え、以下の効果を有する。
（１）凹状部に水が滞留されるので蒸発量が多く、両端が閉塞された凹状部には貯留されて溢れた水が下方の本体部構成部材に供給されて流量が調整され、水の移動に時間が掛かり、本体部の隅々まで行きわたるので蒸発量が多くなり、水が節約され、冷却効果性、冷却効率性、省資源性、低コスト性に優れた日除け体を提供することができる。
（２）本体部構成部材を水路として水を流すことによって冷却効率が高まり、水が節約され、冷却効率性、低コスト性、省資源性に優れた日除け体を提供することができる。
【００２９】
請求項１０に記載の考案によれば、請求項１乃至９の内いずれか１項の効果に加え、以下の効果を有する。
（１）給水時の間欠装置の利用で水が節約され、誘導部材の利用で水が行き届かない部位に供給できるので大きな冷却効果が得られ、間欠装置による送水停止時には給水部に貯留された水が本体部構成部材に供給されるために冷却効率が高まり、省資源性、低コスト性、冷却効果性、冷却効率性に優れた日除け体を提供することができる。
【００３０】
請求項１１に記載の考案によれば、請求項１乃至１０の内いずれか１項の効果に加え、以下の効果を有する。
（１）給水時に本体部に送風することによって水の蒸発が促進され、生じた冷気を所要場所に送ることによって目的の場所が冷やされ、風による体感温度低下と冷涼感が得られ、冷却効率性、冷涼効果性に優れた日除け体を提供することができる。
【図面の簡単な説明】
【００３１】
【図１】実施の形態１における日除け体の第一実施例の斜視図
【図２】実施の形態１における日除け体の第一実施例の要部断面摸式図
【図３】実施の形態１における日除け体の第一実施例の別の使用例の要部断面摸式図
【図４】実施の形態１における日除け体の第二実施例の要部断面摸式図
【図５】実施の形態１における日除け体の第二実施例の別の使用例の要部断面摸式図
【図６】実施の形態２における日除け体の斜視図
【図７】実施の形態３における日除け体の斜視図
【図８】実施の形態３における日除け体の要部断面摸式図
【図９】実施の形態４における日除け体の斜視図
【図１０】実施の形態４における日除け体の要部断面摸式図
【図１１】実施の形態５における日除け体の斜視図
【図１２】実施の形態５における日除け体の要部断面摸式図
【図１３】実施の形態６における日除け体の斜視図
【図１４】実施の形態６における日除け体の要部断面摸式図
【考案を実施するための形態】
【００３２】
（実施の形態１）
本考案の実施の形態１における日除け体について、以下図面を参照しながら説明する。
図１は実施の形態１における第一実施例の日除け体の斜視図である。
図１中、１は実施の形態１の簾型の日除け体、２は長さ８４０ｍｍ、丈寸法１８００ｍｍに形成された本体部である。尚、作図の都合で中段部分が省略されている。
３は横断面が長径６ｍｍ、短径４ｍｍの楕円形の長さ８４０ｍｍの竹ヒゴ製で相互の間隙２ｍｍで配設された本体部構成部材、４は木製丸棒体の桟、４Ａは重しを兼ねた丸棒体の桟、５はポリエステル短繊維製又はポリビニルアルコール短繊維製の分径約２ｍｍの編糸、６は上部支持部、７は紐体の支持部材、Ａはサッシ、ＢはサッシＡのガラス戸、Ｃは開口部、ＤはサッシＡの戸袋、Ｅは外壁、Ｆはバルコニー床面、Ｇは屋根である。
【００３３】
図２は実施の形態１における第一実施例の日除け体の要部断面摸式図、図３は実施の形態１における第一実施例の日除け体の別の使用例の要部断面摸式図である。
【００３４】
図１，２には、本体部２が、横断面が楕円形に形成されている本体部構成部材３の複数箇所に編糸５が係回されて多段に編成され、上部支持部６に支持部材７でガラス戸Ｂ、開口部Ｃ、外壁Ｅに鉛直に吊設されていることが示されている。
これによって、夏の８時３０分頃から１５時３０分頃迄の仰角４０度以上の直射日光が遮蔽され、１６時前後の仰角３０度の西日は約８５％が遮蔽されるので、西日が特に強い地方や時期は別にして、ほぼ終日にわたって涼しい状態が保てる。
下関地方気象台で、１日の最高気温が摂氏３２度を記録した日に、前記各実験を行った場所で、バルコニー上の温度が３８度、室温３５度の時に、直径２ｍｍの円形横断面を有し、相互の間隙２ｍｍの竹ヒゴで編成された従来の簾をガラス戸Ｂと開口部Ｃに設置した際に、１５時頃に仰角４５度の直射日光の３０％が入射した状態でも室温が３４度に下がったことから、同じ条件で本体部２を設置すれば室温が３３度位になると見込まれ、さらに、本体部２をバルコニー上方に設置すれば３２度位に下がると想定される。
【００３５】
図２には、本体部２が鉛直に設置され、本体部構成部材３の横断面の楕円率１．５の楕円形の長軸が水平に配置されていることが示されている。
簾が編成される際には編成される部位に編糸が張られた状態で係回されて締付けられ、横断面の楕円率が２以上となるような楕円形や横断面が長方形の構成部材の場合は、通常は横断面の長軸や長辺が編成方向と同じ向きに編成されるが、本体部構成部材３は楕円率が１．５で形成されていて、編成時に横断面の長軸を編成方向と同じ方向に向けさせる力はそれほど大きくないことと、摩擦係数が大きい短繊維で形成され、本体部構成部材３の短径４ｍｍとの比で比較的太い分径約２ｍｍの編糸５が用いられているために、係回された部分に密着して安定させるので、楕円形横断面の長軸を編成方向に垂直に配置して編成することができ、そのままの配置角度で本体部２を使用することができる。
【００３６】
図３には、本体部２が傾斜を有する屋根Ｇに設置され、本体部構成部材３の横断面の楕円形の長軸が、本体部２の設置角度の余角に相当する角度、即ち屋根Ｇに沿って設置されている本体部２に対して垂直に配置されていることが示されている。
設置方向に対して本体部構成部材３の楕円形横断面の長軸が垂直に配置された本体部２は、円形横断面の竹ヒゴや葦等で編成された簾と比較すると、設置方向の構成部材の寸法及び相互の間隙が各々同等に形成されている場合に、太陽の仰角と設置角度の関係において、設置角度の余角に相当する仰角、即ち設置方向に対して垂直になる仰角に限って遮蔽作用が等しくなるが、それ以外の仰角の直射日光に対する遮蔽作用はいずれも本体部２の方が大きくなり、これによって、鉛直、斜め、水平のいずれの角度に設置された場合でも構成部材の横断面が円形の日除け体よりも大きな直射日光の遮蔽作用が得られる。
【００３７】
図４は実施の形態１における第二実施例の日除け体の要部断面摸式図、図５は実施の形態１における第二実施例の日除け体の別の使用例の要部断面摸式図である。
図４，５中、２Ａは本体部２と略同様に編成されている本体部、３Ａは本体部構成部材３と略同様に形成されているが、長手方向に設けられている複数の編成部位の横断面が円形に形成されている本体部構成部材、３Ｂは横断面が円形の編成部位である。
【００３８】
図４は本体部２Ａがサッシ等に鉛直に設置された状態、図５は本体部２Ａが傾斜している屋根Ｇに沿って設置された状態である。
図４、図５には、本体部２Ａにおいて、本体部構成部材３Ａの横断面が円形に形成された編成部位３Ｂに編糸５が係回されていることが示されている。
横断面が楕円形の構成部材に編糸が係回されて簾が編成される場合に、編成方向に対し
て、楕円形横断面の長軸を同じ方向に向けさせる力が編糸から構成部材に作用するが、本体部構成部材３Ａは編成部位３Ｂが円形に形成されているので、予め本体部構成部材３Ａが配置された向きに編成され、この場合は、部分的に設けられている編成部位３Ｂ以外の横断面の楕円の長軸が編成方向に垂直に配置されて編成されている。
これによって、横断面が楕円形の本体部構成部材３Ａを用いた編成作業が容易になり、本体部２Ａを鉛直に設置する時でも、斜めや水平に設置する場合でも、予め本体部構成部材３Ａを所要の向きに配置して編成することができ、その状態相応の作用が得られる。
本体部２Ａの編成時及び使用時において、摩擦係数が大きなポリエステル系短繊維製やポリビニルアルコール系短繊維製の編糸５が用いられているために係回された部位に密着するので安定した状態が保つことができ、前者は伸び縮みが小さく、後者は水によって多少縮む特性があるのでその特性を活用して用いることができる。
ここでは、横断面が楕円率１．５の楕円形の本体部構成部材３Ａが用いられたが、さらに大きい楕円率を有する構成部材で編成することもでき、横断面が長方形の長辺側を本体部の編成方向と垂直に配置して編成することもできる。
例えば、本体部構成部材の横断面が、楕円率２の楕円形の場合には、編成部位の横断面を円形に形成することによって、本体部が鉛直に設置された時に横断面の楕円の長軸が水平に配置されるように編成することができ、その場合に、本体部構成部材の鉛直方向の寸法と相互の間隙を本体部２と同じ寸法で形成された本体部を鉛直に設置すると、夏の７時頃から１６時３０分頃までの仰角２４度以上の直射日光を遮蔽することができ、本体部２より大きな遮蔽作用が得られ、終日涼しい状態が保てる。
又、編成部位の横断面が円形に形成できる材質や形状であれば、同様に編成することができるので、様々な材質や形状の本体部構成部材を用いた本体部が編成できる。
【００３９】
本体部２，２Ａは、編糸を構成部材に係回する従来の簾の編成方法で編成することができ、シンプル且つ安価に製作でき、鉛直、斜め、水平のいずれの角度に対しても容易に設置することができ、いずれの場合も直射日光の遮蔽作用による好適な冷涼効果が得られ、本体部構成部材３，３Ａは、従来の直径２ｍｍ前後の竹ヒゴ製簾よりも丈夫で、防腐防カビ効果の高い竹材用保護剤が施されているので長期に使用でき、編糸５は従来の綿糸のものより高強度で耐摩耗性に優れ、腐食しないので、耐久性に優れる。
【００４０】
以上のように実施の形態１の日除け体は構成されているので、以下の作用が得られる。
（１）本体部２，２Ａは容易に安価に製作でき、様々な場所や角度への設置が容易で、冷涼効果が大きく、この普及で冷房が抑制され節電が図れ、耐久性が高く、製作容易性、低コスト性、取扱性、汎用性、冷涼効果性、環境改善性、耐久性に優れる。
（２）本体部２Ａは編成作業が容易で、使用条件に適応させて本体部構成部材３Ａの配置角度を変更して所要の作用を得ることができ、製作容易性、自在性、機能性に優れる。
（３）本体部２，２Ａの原料となる竹の利用で里山等の環境改善に貢献することができ、林業や簾製造業等の振興に寄与でき、環境改善性、産業振興性に優れる。  
【００４１】
（実施の形態２）
本考案の実施の形態２における日除け体について、以下図面を参照しながら説明する。尚、実施の形態１と同様のものには同一の符号を付して説明を省略する。
図６は実施の形態２における日除け体の斜視図である。
図６中、１１は実施の形態２の簾型の日除け体、１２は丈寸法４５０乃至１８００ｍｍの本体部である。尚、作図の都合で中段部分が省略されている。
１３，１３Ａは割り竹を用いて形成され、横断面が凸レンズ形で、凸レンズの図示していない光軸に垂直な直線が水平になり、膨らみを有する孤が上向きに配置され、反対側は全体が平面状、又は裏側の凹状部や節部によって形成され、平方向の寸法１２乃至３０ｍｍ、鉛直方向の寸法３乃至６ｍｍ、長さ３００乃至９００ｍｍの本体部構成部材、１３Ｂは本体部構成部材１３，１３Ａの長手方向に間隔が大小に分けて設けられた挿通孔、１４は本体部１２を編成するためのポリエステル短繊維製の分径２乃至３ｍｍの吊紐、１５は横断面が円柱状の上部支持部である。
【００４２】
図６には、挿通孔１３Ｂの配設位置が異なる本体部構成部材１３，１３Ａが交互に配設され、吊紐１４が順に挿通されて、一段置きに本体部構成部材１３，１３Ａの各々水平方向の同じ位置に挿通孔１３Ｂが配置され、挿通孔１３Ｂに対して、略同じ分径を有し、表面の摩擦係数が大きく滑りにくい特性を備えた吊紐１４が挿通され、吊紐１４は、予め挿通孔１３Ｂに位置する部位にマーキングされてその位置に留まるように挿通作業を進めることによって、正面から見て本体部構成部材１３，１３Ａとのなす角度が４５度前後でジグザグに配設され、本体部構成部材１３，１３Ａがマーキングされた所定位置の屈曲部に係止され、正面から見た相互の間隙が水平方向の寸法の約３３％となるように４乃至１０ｍｍで配設され、吊紐１４の上端に桟１５、下端に重しを兼ねた桟４Ａが配設されて本体部１２が形成され、上部支持部１５に支持部材７で吊設されてサッシの開口部や外壁等に鉛直に設置されていることが示されている。
これによって、割り竹製の本体部構成部材１３，１３Ａで構成される簾状の日除け体が容易且つ安価に製作でき、持ち運びや保管等の取扱いでは吊紐１４が挿通孔１３Ｂに対してあまりずれることなくほぼ所定位置に係止された状態が保たれ、吊設された状態では下端の重しを兼ねた桟４Ａによって吊紐１４に張力が掛かり、安定した状態を保つことができる。
本体部１２をサッシの開口部や外壁等に鉛直に設置すると、概ね夏の６時３０分頃から１７時３０分頃迄の仰角１５度以上の直射日光が遮蔽され、通風は確保されるので室内が終日涼しい状態が保たれ、外壁等に設置された場合は熱くなるのを防ぐことができる。
図６は、本体部構成部材１３，１３Ａの幅即ち水平方向の寸法が比較的小さい時に、長手方向に挿通孔１３Ｂを１列設けた例を示したが、幅が広い場合は挿通孔を２列設けることによって安定する。又、長手方向に４ケ所の挿通孔１３Ｂを設けたが、本体部の長さが小さい場合は長手方向に２ケ所ずつ設けるだけでもよい。
尚、本体部１２は、防腐防カビ効果の高い保護剤で加工された本体部構成部材１３，１３Ａと、高強度で耐摩耗性に優れたポリエステル短繊維製の吊紐１４で編成されているので、高い耐久性を備えている。
【００４３】
以上のように実施の形態２の日除け体は構成されているので、以下の作用が得られる。
（１）割り竹で形成されて効果の高い保護剤を施された本体部構成部材１３，１３Ａに対して、挿通孔１３Ｂに耐久性に優れた吊紐１４を順に挿通するだけで、本体部１２が容易且つ安価に製作でき、色々なサイズに形成して様々な場所に容易に設置することができ、製作容易性、低コスト性、耐久性、汎用性、取扱性に優れる。
（２）扁平な本体部構成部材１３が小さい間隙で編成された本体部１２は直射日光の遮蔽作用が大きく、通風が確保されるので冷涼効果が大きく、この普及による冷房抑制で節電が図れ、里山保護に寄与でき、冷涼効果性、省資源性、環境改善性に優れる。
【００４４】
（実施の形態３）
本考案の実施の形態３における日除け体について、以下図面を参照しながら説明する。尚、実施の形態１又は２と同様のものには同一の符号を付して説明を省略する。
図７は実施の形態３における日除け体の斜視図である。
図７中、２１は実施の形態３の簾型の日除け体、２２は長さ８４０ｍｍ、丈寸法１８００ｍｍの本体部である。尚、作図の都合で中段部分が省略されている。
２３は杉、檜、松等の間伐材が用いられ、横断面が、片側が直線もう一方側が孤を描く凸レンズ形で、凸レンズの光軸に垂直な直線が水平に配置されて直線側が上向きに、孤の側が下向きになり、水平方向の寸法３０乃至４５ｍｍ、鉛直方向の寸法６ｍｍ前後に形成された長尺体の本体部構成部材、２３Ａは水の配分調整用に要所に配設され、間伐材や竹が用いられ、横断面が弓形や凸レンズ形で本体部構成部材２３と略同様の寸法で形成され両端が閉塞された凹状部を有する本体部構成部材、２５，２５Ａは合成樹脂製や金属製の管状の給水部、２６，２６Ａは水道用ホースが用いられた送水管、２７は送水管２６に接続され、吸入側が水道に接続されて送水時間と停止時間を制御するための間欠装置、２８は集水樋、２９は紐体の誘導部材、３０は蛇口である。
【００４５】
図７には、本体部２２が上部支持部６に吊設されてガラス戸Ｂ、開口部Ｃ、外壁Ｅに設置され、給水部２５，２５Ａが上部支持部６に吊設されていることが示されている。
送水管２６，２６Ａが接続された給水部２５，２５Ａは勾配が調節されて水が均等に供給され、送水管２６には間欠装置２７が接続され、本体部２２の下の集水樋２８の水をバルコニー床面Ｆに広く供給するために毛細管現象を利用した誘導部材２９が配設されて日除け体２１が完成され、蛇口３０を開ければ給水できることが示されている。
【００４６】
図８は実施の形態３における日除け体の要部断面摸式図である。
図８中、２３Ｂは吊紐２４を挿通するために本体部構成部材２３，２３Ａの正面から見た両端付近に設けられた挿通孔、２４は分径が約３ｍｍのポリエステル短繊維製の吊紐、２４Ａは吊紐２４に挿嵌されて本体部構成部材２３，２３Ａの間に配設され、本体部構成部材２３，２３Ａを所定位置に配設するための合成樹脂製等の中空柱状体の挟設部材、２５Ｂは給水部２５の下側に多数設けられた１乃至２ｍｍ径の給水孔である。
【００４７】
図８には、本体部２２が鉛直に設置され、側面から見て本体部構成部材２３，２３Ａが水平に配置され、本体部構成部材２３，２３Ａが、正面から見た両端付近において側面から見た中央に設けられた挿通孔２３Ｂに各々吊紐２４が挿通され、本体部構成部材２３，２３Ａの間に挟設部材２４Ａが吊紐に挿嵌されて配設され、本体部構成部材２３，２３Ａが相互の間隙が８乃至１２ｍｍで配設されていることが示されている。
これによって、夏の７時頃から１７時頃迄の仰角２０度以上の直射日光が遮蔽され、水平方向の遮蔽率が３３％で風通しが十分確保されて終日涼しい状態が保たれ、給水に関わる部材を備えていない場合でも好適な日除け体として用いることができる。
【００４８】
又、図８には、長さの調節可能な支持部材７によって側面や正面の傾きが調節できるように配設された給水部２５から本体部２２に水が供給されている状態が示されている。
給水部２５の給水孔２５Ｂから水Ｗが桟４、直下の本体部構成部材２３に滴下し、その上面では水の層Ｗとなり、次に水滴となって側部から下面に伝わり、次にその下の本体部構成部材２３に滴下し、さらに下方の本体部構成部材２３Ａに続くことが示されており、それらの動きが繰り返されて水Ｗが順次下方に移動して本体部２２の下端に達する。
本体部２２は、本体部構成部材２３，２３Ａ相互の間隙が小さいので、所々で上の本体部構成部材と下の本体部構成部材上面の水が繋がってカーテン状の水の膜Ｗが形成されて蒸発が促進され、要所に配設された本体部構成部材２３Ａの浅い凹状部２３Ｃに水Ｗが貯留され、溢れた水が下方に均等に供給されて配分が調節され、隅々まで行きわたる。
従来の葦製簾や竹製簾に水を供給した場合には１０秒前後で下端まで流下してしまうために冷却効果が小さかったが、本体部２２は、水平に配置された本体構成部材２３，２３Ａに滞留する時間が長いために本体部２２の上端から下端に至る時間が２乃至３分と長く掛かり、蒸発に関わる総表面積が本体部２２の表裏合計面積の２．８倍に及ぶために蒸発量が多くなり、多量の水が蒸発して大きな冷却効果と高い冷却効率が得られる。
【００４９】
実施の形態３の日除け体の効果を確認するために、前記各先行技術文献に関する実験が行われた場所で以下の実験を行った。
バルコニー上方を簾等で覆わない条件で、バルコニー上の温度が摂氏３８度、室温３５度の時に、開口部Ｃに本体部２２を設置した処、室温が３２度になり、さらに別体の葦製簾でバルコニー上方を覆った時に３１度になり、室内のサーキュレーターで送風した処、風による冷涼感が得られてエアコンを使用しなくても過ごせる状態になった。
次いで本体部２２に給水した処、室温が３０度に下がり、室内の前記サーキュレーターで冷気を循環させた時には体感温度の低下によって十分過ごせる状態になった。
下関気象台で２０１１年８月１３日１３時５１分に気温３３．８度、１７日１５時９分に年間最高気温３３．９度を記録した際に、簾等で覆わない時のバルコニー上が４０度、室温が３６度の時に、ガラス戸Ｂ、開口部Ｃに本体部１２を設置した時の室温が３４度になり、次いで給水した時に３２度に下がり、さらに、本体部２２を外壁Ｅにも設置して給水した処、室温が３１度になり、終日冷房を切ったまま過ごすことができた。
これは、外壁Ｅに対する本体部２２の日射遮蔽作用と冷却効果が表れたものと見られ、多段に配設されている本体部構成部材２３，２３Ａから外壁Ｅの随所に水が供給され、水の蒸発時の気化熱に伝導熱も作用が加わって冷却効果が増強されたものと推測される。
この実験中に、水が本体部２２の諸所で滞留や移動を繰返す様子は楽しげで、移動する際の水音が快く響き、水滴が光の屈折によって赤や青に輝く時には宝石のように美しく、爽やかな冷涼感が得られた。
本体部２２における水の蒸発量は、夏の日陰の木材表面の蒸発量実測値１平方メートル当たり毎分０．０２リットルと、本体部２２の１枚当たり総表面積から毎分０．２リットルと見て、給水部２５への間欠装置２７の時間比を流水２対停止１に設定し、２枚分の本体部２２への送水時の流量は余裕を見て毎分１リットルとしたが、蒸発しなかった水は集水樋２８に集めて、誘導部材２９でバルコニー床面Ｆに広く供給して周辺を冷却するのに用いたのでバルコニーに面した部屋の温度を下げる効果が得られた。
【００５０】
以上のように実施の形態２の日除け体は構成されているので、以下の作用が得られる。
（１）本体部２２は、本体部構成部材２３，２３Ａが側面から見て水平に配置された状態で、夏の早朝から夕方までの直射日光が遮蔽でき、通風、採光ともに十分な日除け体として様々な地域や場所で使われ、冷涼効果性、汎用性に優れる。
（２）本体部は、本体部構成部材の材質を変えて形成することによって材質が備えている特性を利用した所要の機能を得ることができ、機能性、汎用性に優れる。
（３）給水した場合には、本体部２２が水の蒸発に好適な構造をしているために大きな冷却効果が得られ、水が効率よく利用され、外壁等に接するように設置して給水すると伝導熱の作用も加わって冷却効果が増強され、各種施設への設置が容易で広く利用することができ、冷却効果性、冷却効率性、汎用性に優れる。
（４）供給された水が移動する様子や水音が快く涼しげで、水滴が光の屈折で赤や青に輝く様子は美しく、爽快性、冷涼性、美観性に優れる。
（５）本体部２２は構造がシンプルで、間伐材や竹等を利用して低コストで容易に製作でき、設置及び取外しが容易で、この普及で林業等の地場産業振興が図れ、節電に寄与することができ、低コスト性、製作容易性、取扱性、産業振興性、環境改善性に優れる。
（６）給水部２５，２５Ａ、送水管２６，２６Ａは構造がシンプルで安価に製作でき、設置や取外しが容易で、間欠装置２７と誘導部材２９の利用によって水が有効利用されて節約され、低コスト性、製作容易性、取扱性、冷却効率性、省資源性に優れる。
【００５１】
（実施の形態４）
本考案の実施の形態４における水冷日除け体について、以下図面を参照しながら説明する。
尚、実施の形態１乃至３と同様のものには同一の符号を付して説明を省略する。
図９は実施の形態４における日除け体の斜視図である。
図９中、３１は実施の形態４における衝立型の日除け体、３２は日除け体３１の本体部で、作図の都合で中段部分が省略されている。
３３は合成樹脂等で形成され、横断面が凸レンズ形で凸レンズの光軸に垂直な直線が水平に配置され、上部に凹状部が形成され、水平方向の寸法６０ｍｍ、鉛直方向の寸法１５ｍｍ、長さ２０００ｍｍの本体部構成部材、３３Ｂは木、竹、合成樹脂等で形成され、横断面が扁平な弓形で、弦が上向きで水平に配置され、水平方向の寸法６０ｍｍ、鉛直方向の寸法６ｍｍの長尺体の本体部構成部材、３３Ｃは本体部構成部材３３Ｂを束ねるための結束部材、３４は本体部３２等を支持するための支持枠体、３４Ａは支持枠体３４の基礎、３４Ｂは基礎３４Ａに立設された支柱、３５は下側に多数の給水孔が設けられた管状の給水部、３５Ｂは横断面が弓形で貯留部が形成された給水調整用の第二給水部、３６は送水管、３７は間欠装置、３８は循環機構、３８Ａは循環機構３８の集水樋、３８Ｂは通水管、３８Ｃは濾過兼貯水槽、３８Ｄは給水部３５に水を送るための送水ポンプ、３８Ｅは屋根の樋に接続される雨水回収管、３９は送風装置、３９Ａは吹出口である。
【００５２】
図９には、支持枠体３４の基礎３４Ａに固定された支柱３４Ｂに対して、上から順に、送風装置３９、給水部３５、第二給水部３５Ｂ、本体部３２が配設されて直射日光の遮蔽と冷却に関わる主要部が構成され、ガラス戸Ｂと開口部Ｃを塞ぐようにして設置され、その周辺に配設された、集水樋３８Ａ、通水管３８Ｂ、濾過兼貯水槽３８Ｃ、送水ポンプ３８Ｄ、雨水回収管３８Ｅからなる循環機構３８によって、使用後の水や雨水の回収、濾過、貯水の機能が付加され、間欠装置３７、送水管３６を介して給水部３５に送水されるように構成されて日除け体３１が完成された状態が示されている。
本体部３２は、本体部構成部材３３と３本１組に束ねられた本体部構成部材３３Ｂが、相互の間隙が８ｍｍ、６，６，６ｍｍに配設されて支持枠体３４の支柱３４Ａに固定され、以下、同様に繰り返されて多段に配設され、長さ約２０００ｍｍ、丈寸法約１５００ｍｍに組立てられている。これによって、支持枠体３４への配設、取外し、組合わせの変更が容易で、組立、解体、移動が短時間で実施できる。
本体部構成部材３３，３３Ｂが側面から見た水平方向の寸法との比で小さい間隙で配設されているために、朝から夕方までの仰角１８度以上の直射日光が遮蔽され、通風は確保されるので十分な冷涼効果が得られ、給水、循環、送風に関わる部材や装置を付加しない状態で、本体部３２のみを支持体３４に配設して冷却機能を有しない日除け体として利用することができる。
【００５３】
本体部３２への給水は、給水に関わる部材や装置を配設することによって行われ、いずれも安価で入手及び取扱いが容易で、低コストで冷却機能を付加することができる。
給水部３５、第二給水部３５Ｂ、本体部構成部材３３，３３Ｂが、側面及び正面の勾配が調節できるように配設され、給水部３５の水が樋状の第二給水部３５Ｂに滴下して貯留され、そこで溢れた水が本体部構成部材３３に供給されて凹状部に貯留され、次に下方の本体部構成部材３３Ｂに滴下して均等に供給され、本体部構成部材３３Ｂの上面で暫時滞留した後に順次下方に移動して本体部３２の隅々まで行きわたり、本体部３２の総表面積が大きく形成されているために水の蒸発量が多く、大きな冷却効果が得られる。
循環機構３８は、要となる濾過兼貯水槽３８Ｃとして容量５００リットル前後の水槽の上部にアンスラサイト、スポンジ、砂、砂利の層を形成して濾過機能を持たせ、下方を貯水用スペースとし、集水樋３８Ａから使用後の水、雨水回収管３８Ｅから雨水を回収して濾過して貯水し、送水ポンプ３８Ｄで送水して循環させることができる。
尚、雨水回収管３８Ｅからの雨水を濾過兼貯水槽３８Ｃに直接入れてもよいが、予め大きな容量の貯水槽を地下等に設置して雨水を貯え、濾過兼貯水槽３８Ｃに順次送って水を節約することができ、所要によって水洗トイレ等の他用途に使用することもできる。
送風装置３９は、本体部３２に空気を送り、水蒸気の飽和状態に近い冷気と入れ替えて蒸発を促進させるとともに冷気を開口部Ｃに送り、開口部Ｃ内には別にサーキュレーターを設置して冷気を室内に行きわたらせ、風による冷涼感が得られるようにしている。
【００５４】
図１０は実施の形態４における日除け体の要部断面摸式図である。
図１０中、３３Ａは本体部構成部材３３の上向きの凹状部、３３Ｄは本体部構成部材３３Ｂ相互の間隙が一定になるように挟設される小片の挟設部材、３４Ｃは支柱３４Ｂに対して上下移動できるように配設された支持部材、３４Ｄは紐体の支持部材、３５Ａは給水部３５の給水孔、３５Ｃは第二給水部３５Ｂの貯留部、である。
【００５５】
図１０には、給水部３５が側面と正面の傾きが調節できるように支持体３４に紐体の支持部材３４Ｄによって吊設され、第二給水部３５Ｂ、本体部構成部材３３、３本１組の本体構成部材３３Ｂが、上下移動可能な支持部材３４Ｃによって側面と正面の勾配が調節できるように固定され、水Ｗが給水部３５、第二給水部３５Ｂ、本体部構成部材３３，３３Ｂに順に滴下して移動する動きが繰り返され、本体部構成部材３３Ｂ相互の間隙に蒸発を促進するカーテン状の水の膜Ｗが形成されていることが示されている。
このように、給水部３５と第二給水部３５Ｂが組合わされたことによって、水が本体部構成部材３３，３３Ｂに均等に供給されるので冷却効率が高まる。
第二給水部３５Ｂから本体部構成部材３３に誘導部材２９が渡設され、所々で発生する水量の偏りを調整するとともに、間欠装置３７による送水停止時には、第二給水部３５Ｂの貯留部３５Ｃに貯留された水Ｗが誘導されて本体部構成部材３３に供給され、順に本体部構成部材３３Ｂに供給されるので、蒸発による冷却効果が維持された状態が続くために送水停止時間を長くすることができ、水が節約され、誘導部材２９は所要時に本体部構成部材３３と３３Ｂとの間に渡設されて水が誘導され、本体部３２に十分行きわたる。
前記各実験と観察を行った、バルコニー上の直射日光が当たる場所が４０度、上方に設置された葦製簾の日陰場所の温度が３６度、室温が３５度の時に、日除け体３１を図９に見られるように設置した処、室温が３４度になり、給水した時に３２度に下がり、吹出口３９Ａから本体部３２に送風し、別に開口部Ｃの室内に設置したサーキュレーターで冷気を循環させた時に室内全体が３１度になり、エアコンで冷房しなくても過ごせた。
この時の水の使用量は、間欠装置３７で時間比を流水２対停止３の比率に設定した処、１３時から１７時迄の給水において約２４０リットルに抑えることができた。
衝立型に形成された日除け体３１は、本体部３２及び、給水、送風、水の循環に関わる部材や装置の配設、変更、除去が容易で、それに伴う作用が得られ、不要時の解体や他の場所への移動が短時間で実施できる。
【００５６】
以上のように実施の形態４の日除け体は構成されているので、以下の作用が得られる。
（１）本体部３２は、本体部構成部材３３，３３Ｂが側面から見て水平に配置された通常の状態において、日射遮蔽作用が大きく、通風が確保でき、冷涼効果性に優れる。
（２）冷却効果を得るために給水すると、総表面積が大きい本体部３２によって蒸発が促進され、第二給水部３５Ｂ、本体部構成部材３３、誘導部材２９の調整作用で水が隅々まで行きわたり、送風装置３９で送風することによって蒸発が促進され、風自体の体感温度低下と冷涼感も加わり、冷却効果性、冷却効率性、冷涼効果性に優れる。
（３）間欠装置３７と誘導部材２９の配設及び循環機構３８によって水が節約でき、送水ポンプ３８Ｄの作動用電気料軽減が図れ、低コスト性、省資源性に優れる。
（４）衝立型に形成されたことによって、本体部構成部材３３，３３Ｂの配設や組合わせ変更が容易で、給水、送風、水の循環に関わる部材や装置の付加や除去が容易で、解体や移動が短時間で行うことができ、取扱性、利便性、機能性、自在性に優れる。
【００５７】
（実施の形態５）
本考案の実施の形態５における日除け体について、以下図面を参照しながら説明する。尚、実施の形態１乃至３と同様のものには同一の符号を付して説明を省略する。
図１１は実施の形態５における日除け体の斜視図である。
図１１中、４１は実施の形態５における引き戸型の日除け体、４２は日除け体４１における第一実施例の本体部、４２Ａは第二実施例の本体部である。尚、作図の都合で各々中段部分が省略されている。
４３は遮熱樹脂加工が施されたアルミニウム合金等の厚さ０．５乃至１．０ｍｍの薄板製で横断面が弓形で浅い凹状部が形成され、水平方向の寸法１８乃至２４ｍｍ、鉛直方向の寸法３乃至４ｍｍ、長さ約８００ｍｍの本体部構成部材、４４はアルミニウム合金等で形成された支持枠体、４４Ａは上部枠、４４Ｂは側部枠、４５Ｃはここでは図示されていない給水部の入り口内側に設けられたネジに螺設された給水部口金、４６は給水部口金に接続されている送水管、４７は集水樋、４７Ａは水回収用の通水管、ＨはサッシＡの外側の上下に配設された雨戸用レールである。
【００５８】
図１１には、本体部４２，４２Ａが支持枠体４４に内設されて引き戸型に構成され、給水部と集水樋４７が付加され、いずれも支持枠体４４の下側に図示していない戸車が配設されて、雨戸用レールＨに嵌め込まれ、所要時に戸袋Ｄに引き込むことができ、不要時に取外しできるように設置されていることが示されている。
本体部４２は本体部構成部材４３の凹状部が下向き、本体部４２Ａは上向きになって各々相互の間隙６乃至８ｍｍで配設され、支持枠体４４に内設されて設置され、夏の７時頃から１７時頃迄の仰角２０度以上の直射日光が遮蔽され、風通し、採光ともに十分で、雨の吹き込みも防止されて好適な居住環境が得られる日除け体として用いられる。
金属製の日除け体は直射日光で熱くなることがあるが、本体部構成部材４３には遮熱樹脂加工が施されているために熱くならず、冷却しない時でも時々給水して冷やすことができるので通過する風が温まるのが防止でき、常に好適な冷涼効果を得ることができる。
ここでは、本体部４２，４２Ａが内設された支持枠体４４が雨戸用レールＨに設置されたが、いずれか一つをガラス戸用レールに設置して開口部Ｃに設置することもでき、又、戸車を配設せずに窓枠、外壁、屋根、バルコニー等に設置することもできる。
【００５９】
本体部４２，４２Ａに給水する場合は、支持枠体４４内に図１１では図示されていない給水部４５を本体部４２の上方に配設して、本体部４２，４２Ａに各々給水する給水部の間をネジ等による連結部材を配設して連結し。下方に各々集水樋４７を配設して、送水管４６を水源に接続すればよく、給水部４５は位置によって大きさを変えた多数の給水孔を有し、正面から見た勾配が調節されて水が均等に供給される。
ここでは、本体部４２がガラス戸Ｂ側に、本体部４２Ａが開口部Ｃ側に設置されたが、いずれも本体部構成部材４３が精緻なサッシ加工技術で形成されているので水の動きにムラがなくスムーズに下方に移動させることができ、本体部４２は、本体部構成部材４３の上側のなだらかな膨らみを有する曲面に水が暫時滞留し、本体部４２Ａは、本体部構成部材４３の上側に形成されている浅い凹状部の両端を閉塞することによって水が貯留され、いずれも溢れた水が側面に回るが、本体部構成部材４３が一定の厚みを有し、相互の間隙が小さく配設されているので側面部で水滴が落下せずに下面に回って順次下方に滴下し、それが繰返されて水が均等に供給されて隅々まで行きわたり、下端に達するのに時間が掛かるために蒸発量が多く、大きな冷却効果と高い冷却効率が得られる。
又、給水中においては、金属製の本体部構成部材４３を移動する水の動きがリズミカルで、水音が澄んで涼しげに響き、水滴が光の屈折で赤や青に輝くと美しく、爽やかな冷涼感が得られる。
尚、水源について示していないが、間欠装置３７を水道に接続するだけで上水を利用した冷却効果が容易に得られ、間欠送水によって水の節約を図ることができる。
又、実施の形態４の日除け体３１の循環機構３８に準じて、集水樋４７に集められた水を通水管４７Ａから濾過兼貯水槽３８Ｃに送って濾過し、図示していない送水ポンプで間欠装置３７、送水管４６を介して給水部４５に送ることによって循環させることができ、さらに、屋根の樋と接続する雨水回収管を配設し、容量の大きな貯水槽を地下等に設置して雨水を蓄えておき、所要時に濾過兼貯水槽３８Ｃに送って利用することによって水が節約でき、運用コスト軽減と省資源化を図ることができる。
【００６０】
図１２は実施の形態５における日除け体の要部断面摸式図である。
図１２中、４３Ａは本体部４２Ａを構成する本体部構成部材４３の凹状部、４３Ｂは水が凹状部４３Ａの端からこぼれないように両端部を塞ぐための閉塞部材、４３Ｃは支持枠体４４の側部枠４４Ｂの内部において、ここでは図示していない軸受け状の支持部材に支持されることによって本体部構成部材４３を配設するための突起状の軸、４５は遮熱樹脂加工が施されたアルミニウム合金等で形成され、下側に多数の給水孔が設けられた管状の給水部、４５Ａは給水部４５の下側に位置によって大きさを変えて多数設けられている１乃至２ｍｍ径の給水孔、４５Ｂは部品を積み重ねする方法で設置され、給水部４５を支持する高さが調節できる支持部材である。
【００６１】
図１２には、第二実施例における本体部４２Ａと給水部４５の構造と配設状況、水Ｗの動きが示されている。
給水部４５は、給水孔４５Ａの大きさと正面から見た勾配の調節で流量が均等になり、供給された水Ｗが本体部構成部材４３の凹状部４３Ａに貯留され、溢れた水が下面に伝わり、順次下方の本体部構成部材４３に移動し、所々で本体部構成部材４３下面の水と下方の凹状部４３Ａの水が繋がってカーテン状の水の膜Ｗが形成されて蒸発が促進される。
又、本体部構成部材４３の片側の軸４３Ｃを中心に、ここで図示していない角度変更歯車を配設し、支持枠体４４の側部枠４４Ｂ内部に縦型スクリュー体を立設して回転させることによって角度変更歯車を回動させて本体部構成部材４３の配置角度を変更する角度変更機能を配設することもできる。これによって、直射日光、風、雨、音等に対する遮蔽、開放等の調節機能が得られ、間隙を閉じた時には防犯や防火上の安全性が高まる。
さらに、本体部構成部材４３の配置角度を所要の向きに変更して、直射日光を入射させることや本体部構成部材４３に当てること等で目的場所を暖めることもできる。
このように、本体部４２，４２Ａ及び給水部４５や角度変更機構等が組合されて所要機能を備えた状態で支持枠体４４に内設されているために、所要の場所への設置や取外しが容易に実施でき、本体部や付加された部材や機構が保全される。
【００６２】
以上のように実施の形態５の日除け体は構成されているので、以下の作用が得られる。
（１）本体部構成部材４３が側面から見て水平に配置された通常の状態で、日射遮蔽作用が大きく、風通しと採光が十分で、冷涼効果性、居住環境性に優れる。
（２）精緻に形成されている本体部４２，４２Ａに対して給水部４５から水が均等に供給されて隅々まで行きわたり、下端に達するまでに時間が掛かるために蒸発量が多くなり、金属製の本体部構成部材４３における水の動きがリズミカルで楽しく、水音が快く涼しげに響き、水滴が赤や青に輝くと宝石のように美しく、冷却効果性、冷却効率性、爽快性、冷涼性、美観性に優れる。
（３）給水時には間欠装置３７によって水が節約でき、濾過兼貯留槽３８Ｃを備えた循環機構によって使用後の水を回収して循環利用することができ、雨水回収管及び容量の大きな貯水槽を配設して雨水を利用することもでき、低コスト性、省資源性に優れる。
（４）本体部４２，４２Ａ、給水部４５、集水樋４７、あるいは所要によって設けられる角度変更機構とともに支持枠体４４に内設されているために各部材や機構が保全され、雨戸用レールＨに容易に設置でき、戸袋Ｅに引き込むことも取外すことも容易で、ガラス戸用レールや、窓枠、外壁等への設置も容易で、いずれの場合も給水に関わる部材を付加することも除外することもでき、取扱性、自在性に優れる。
【００６３】
（実施の形態６）
本考案の実施の形態６における日除け体について、以下図面を参照しながら説明する。
尚、実施の形態１乃至５と同様のものには同一の符号を付して説明を省略する。
図１３は実施の形態６における日除け体の斜視図である。
図１３中、５１は実施の形態６における組合せ型の日除け体、５２は日除け体５１の第一実施例の簾型の本体部である。尚、作図の都合で中段部分が省略されている。
５３は竹や木等が用いられて形成され、水平方向の寸法３０乃至４０ｍｍ、鉛直方向の最大寸法６ｍｍ、長さ９００ｍｍの本体部構成部材、５５は下側に給水孔が多数設けられた内径１３ｍｍの管状の給水部、５６は送水管、５７は送風装置である。
又、６２は実施の形態６における第二実施例の本体部、６３はアルミニウム合金等で形成され、横断面が弓形で側面から見て弦が水平に上向きで配置され、弦の部分に凹状部が形成され、水平方向の寸法４８ｍｍ、鉛直方向の寸法２４ｍｍ、長さ２４００ｍｍの樋状の本体部構成部材、６４は本体部構成部材６３と同様の材料で形成され、本体部６２を支持して内設するための支持枠体、６５は集水樋を兼ねている給水部、６６は給水部６５に送水するための送水管、６７は集水樋、６７Ａは集水樋６７の水を貯水槽等に送るための通水管、６８は濾過兼貯水槽、Ｉは手すり、Ｊはバルコニー枠体である。
【００６４】
図１４は実施の形態６における日除け体５１の要部断面摸式図である。
図１４中、５３Ａは本体部構成部材５３に設けられた挿通孔、５３Ｂは本体部構成部材５３下面の低位部、５４はポリエステル製の吊紐、５４Ａは嵌脱可能なリング状の係止用部材、５５Ａは給水部５５に多数設けられた給水孔、６３Ａは本体部構成部材６３の凹状部、６３Ｂは閉塞部材、６３Ｃは閉塞部材６３Ｂに設けられた流下用溝、６４Ａは本体部構成部材６３を支持するための高さ調節可能な支持部材、６５Ａは給水管である。
【００６５】
図１３、図１４には、第一実施例と第二実施例が組合わされた日除け体５１が示され、第一実施例では、本体部構成部材５３が、横断面が魚の形の五角形で、魚の背に相当する最長の辺が水平に配置され、両端付近に２ケずつ設けられた挿通孔５３Ａに吊紐５４が挿通され、その下方に係止用部材５４Ａが２本の吊紐に架設されて相互の間隙８ｍｍで多段に編成されて本体部４２が構成され、本体部４２の上端が上部支持部６に、下端が手すりＩに固定されてバルコニー上に３組並んで斜めに設置されていることが示されている。
横断面が円形の葦や竹ヒゴで形成された簾を西方に向けて斜めに設置すると、夏の１４時頃から夕方にかけて簾に対向する直射日光が間隙から入射するために温度が上がるが、本体部５２によって７時３０分頃から１６時頃までの仰角３０度以上の直射日光が遮蔽され、バルコニー上、開口部Ｃ内部、外壁Ｅが熱くなるのを終日防ぐことができる。
前記各実験の内、バルコニー上の温度が３８度の時に、既存の葦製簾３組でバルコニー上方を覆った時の開口部Ｃ内部の室温が３４度で、既存の葦製簾を開口部Ｃに設置した時に室温が３３度になったことから、本体部５２をバルコニー上方に設置すれば、室温はさらに２度位下がって３２度前後になることが見込まれ、その上で、例えば、実施の形態３の本体部２２を開口部Ｃに設置すれば、日射遮蔽作用が大きいので室温は３０度位に下がると推測され、さらに本体部２２に給水すれば２８乃至２９度になると想定される。
【００６６】
第一実施例において給水する場合は、給水部５５、送水管５６、間欠装置３７を配設して、間欠装置３７を水道や濾過兼貯水槽６８の水を送るための送水ポンプに接続する。
既存の簾を斜めに設置して給水すると水が間隙から落ちてしまうが、本体部５２では、本体部構成部材５３の下面に回った水Ｗが、低位部５３Ｂから下の本体部構成部材５３に滴下するために途中で落下せず、その動きが繰返されて本体部下端まで到達するので移動に時間が掛かり、総表面積が大きいために蒸発量が多くなり、大きな冷却効果が得られ、サーキュレーター式の送風装置５７によって本体部５２に送風されて蒸発が促進され、生じた冷気がバルコニー上や開口部Ｃに送られ、風による冷涼感も得られる。
尚、空間に斜めに設置できる本体部５２は、傾斜のある屋根にも設置することができ、その場合は、本体部構成部材５３の横断面における魚の尾の部分が屋根に接するようにして設置することによって安定した状態が保たれ、好適な日射遮蔽作用が得られる。
さらに、屋根に給水部を配設して本体部５２に給水すると水は順次下方に移動し、多段に配設された本体部構成部材５３の横断面の魚の尾の部分から屋根に供給されて行きわたり、蒸発による気化熱に加えて伝導熱も利用されるために大きな冷却効果が得られる。
ここで、本体部５２は本体部構成部材５３の配置角度を変更することによって、開口部Ｃ等に鉛直に設置することができる。その場合は、吊紐５４に対する本体部構成部材５３の位置を係止用部材４４Ａとともに変えて、配置角度が水平になるように調節する。
これによって、本体部構成部材５３相互の間隙は約１０ｍｍになるが、夏の７時頃から１７時頃までの仰角２０度以上の直射日光が遮蔽され、好適な日除け体として利用でき、さらに、給水部を配備して本体部に給水すれば大きな冷却効果を得ることができる。
【００６７】
又、図１３、図１４には、第二実施例において、本体部６２と集水樋６７が支持枠体６４に内設されてバルコニー枠体Ｊ内に設置され、周辺に給水部６５、給水部材６５Ａ、送水管６６、間欠装置３７、濾過兼貯水槽６８が配設されていることが示されている。
給水部６５から本体部６２への給水は、本体部５２経由の行程と、図１３に見られる手前側の間欠装置３７が水道又は濾過兼貯水槽６８に接続されて送水される行程があり、冷却する場所や状況に応じていずれかを選択することができ、併用することもできる。
本体部６２は本体部構成部材６３が正面から見て緩やかな勾配で一段ごとに左下がり、右下がりに交互に配設されて構成され、凹状部６３Ａが水路となり、給水部６５から給水管６５Ａを介して供給された水がゆっくり流下し、各々の凹状部６３Ａの両端を閉塞している閉塞部材６３Ｂに配設された流下用溝６３Ｃから下の本体部構成部材６３に滴下し、次には反対方向に流れて、以下、順にジグザグに移動して集水樋６７まで流下し、その間の蒸発による気化熱の冷却効果で周辺が冷やされる。
このように、日除け体５１は、本体部５２，６２、及び付随する各部材や装置が組合わされることによって、水が効率よく利用されて大きな冷却効果を得ることができ、夏は特に暑くなっていたバルコニー周辺に快適な居住環境を提供することができる。
集水樋６７に集められた水は、通水管６７Ａを介して濾過兼貯水槽６８に送られ、実施の形態４の循環機構３８に準じて、図示していない送水ポンプで各々間欠装置３７を経由して送水管５６，６６に送って循環利用することができ、さらに、雨水回収管と容量の大きな貯水槽を別に備えることによって雨水を回収することができ、濾過兼貯水槽６８に随時送って利用することができ、これによって水が節約できる。
【００６８】
以上のように実施の形態６の日除け体は構成されているので、以下の作用が得られる。  
（１）空間に斜めに設置された本体部５２は、風通しがよく、大きな仰角の日射はもとより、小さな仰角の直射日光まで遮蔽することができ、給水しない場合でもバルコニー上や開口部Ｃの内部を涼しい状態に保つことができ、さらに、本体部５２に給水した場合には大きな冷却効果が得られ、送風装置５８によって蒸発が促進され、冷気がバルコニー上や開口部Ｃに送られて周辺が冷やされ、冷涼効果性、冷却効果性、居住環境性に優れる。
（２）本体部５２は、屋根等の傾斜部にも設置することができ、本体部構成部材５３の配置角度を変更して開口部Ｃや外壁Ｅに鉛直に設置することもでき、いずれも好適な日射遮蔽作用が得られ、さらに、給水によって傾斜部、開口部Ｃ周辺、外壁Ｇ等を冷やすことができ、様々な条件に適応でき、自在性、冷涼効果性、冷却効果性、汎用性に優れる。
（３）支持枠体６４に内設されている本体部６２はバルコニー枠体Ｊへの設置や取外しが容易で、本体部構成部材６３の凹状部６３Ａを水路として水をジグザグにゆっくり流下させることによってバルコニー周辺が効率よく冷却され、取扱性、冷却効率性に優れる。
（４）第一実施例と第二実施例の本体部５２，６２、給水用部材、循環機構、送風装置が組合わされて、バルコニー上や開口部Ｃ内部の居住環境が改善され、雨水を含む水の循環利用で水が節約でき、居住環境性、冷却効率性、低コスト性、省資源性に優れる。
【産業上の利用可能性】
【００６９】
本考案は、低コストで容易に製作でき、取扱いが容易で、様々な場所で用いることができ、風通しがよく、日射遮蔽作用が極力大きくなるように形成され、低コスト性、製作容易性、取扱性、汎用性、冷涼効果性に優れた本体部を有する日除け体を提供し、さらに、水を均等に供給できる給水部を備え、送風装置、水の循環装置等を付加して本体部に給水することによって、水の気化熱を利用した冷却効果を得て、設置場所周辺の居住環境の改善を図り、冷却効率を向上させて水と運用コストが節約でき、本考案製品の普及によって火力発電や原子力発電の抑制に寄与することができる、冷却効果性、冷却効率性、居住環境性、省資源性、環境改善性に優れた日除け体を提供し、原料となる木、竹の生産や材料加工に関わる林業や木材業、アルミ合金や合成樹脂等の製造業、本体部を製作する簾等の加工業やアルミ建材加工業、給水用各部材、循環機構、送風装置等の製造に関わる仕事を創出し、快適で安全な居住環境の提供と地域産業振興の一翼を担うものである。
【符号の説明】
【００７０】
１，１１，２１，３１，４１，５１  日除け体
２，２Ａ，１２，２２，３２，４２，４２Ａ，５２，６２  本体部
３，３Ａ，１３，１３Ａ，２３，２３Ａ，３３，３３Ｂ，４３，５３，６３  本体部構成部材
３Ｂ  編成部位
４，４Ａ  桟
５  編糸      
６，１５  上部支持部    
７，３４Ｃ，３４Ｄ，４５Ｂ，６４Ａ  支持部材    
１３Ｂ，２３Ｂ，５３Ａ  挿通孔
２３Ｃ，３３Ａ，４３Ａ，６３Ａ  凹状部
１４，２４，５４  吊紐
２４Ａ，３３Ｄ  挟設部材
２５，２５Ａ，３５，４５，５５，６５  給水部  
２５Ｂ，３５Ａ，４５Ａ，５５Ａ  給水孔    
３５Ｂ  第二給水部
２６，２６Ａ，３６，４６，５６，６６  送水管
２７，３７  間欠装置    
２８，３８Ａ，４７，６７  集水樋
２９  誘導部材
３０  蛇口
４３Ｃ  結束部材
３４，４４，６４  支持枠体
３４Ａ  基礎
３４Ｂ  支柱
３５Ｃ  貯留部
３８  循環機構
３８Ｂ，４７Ａ，６７Ａ  通水管  
３８Ｃ，６８  濾過兼貯水槽
３８Ｄ  送水ポンプ
３８Ｅ  雨水回収管
３９，５７  送風装置
３９Ａ  吹出口
４３Ｂ，６３Ｂ  閉塞部材
４３Ｃ  軸
４４Ａ  上部枠
４４Ｂ  側部枠
４５Ｃ  給水部口金
５３Ｂ  低位部
５４Ａ  係止用部材
６３Ｃ  流下用溝
６５Ａ  給水管
Ａ  サッシ
Ｂ  ガラス戸
Ｃ  開口部
Ｄ  戸袋
Ｅ  外壁
Ｆ  バルコニー床面
Ｇ  屋根
Ｈ  雨戸用レール
Ｉ  手すり
Ｊ  バルコニー枠体
Ｗ  水
【図１】
0003176700.tif 000003
【図２】
0003176700.tif 000004
【図３】
0003176700.tif 000005
【図４】
0003176700.tif 000006
【図５】
0003176700.tif 000007
【図６】
0003176700.tif 000008
【図７】
0003176700.tif 000009
【図８】
0003176700.tif 000010
【図９】
0003176700.tif 000011
【図１０】
0003176700.tif 000012
【図１１】
0003176700.tif 000013
【図１２】
0003176700.tif 000014
【図１３】
0003176700.tif 000015
【図１４】
0003176700.tif 000016